(57)【要約】【課題】軒樋支持具の施工作業の効率を高め、かつ簡便に水勾配を取ることができる軒樋支持具の取付構造及び取付方法を提供する。【解決手段】本発明は、建物の鼻隠し板２３に取り付けられる取付部４０と、該取付部４０に設けられた樋支持部４１とを備えた軒樋支持具２６を、鼻隠し板２３に取り付ける軒樋支持具の取付構造２０において、取付部４０が取り付けられる鼻隠し板２３の上方には、取付部４０を配置したときに取付部４０の上端部を覆う上壁部２１が備えられ、該上壁部２１に係止受部３１が設けられるとともに、取付部４０の上端部に、係止受部３１に係止して軒樋支持具２６を吊下可能とする係止部２４が形成されていることを特徴とする。【選択図】図２
2012007413.tif 000002
【特許請求の範囲】
【請求項１】
建物の鼻隠し板に取り付けられる取付部と、該取付部に設けられた樋支持部とを備えた軒樋支持具を、前記鼻隠し板に取り付ける軒樋支持具の取付構造において、
前記前記鼻隠し板の上方には、前記取付部を配置したときに該取付部の上端部を覆う上壁部が備えられ、
該上壁部に係止受部が設けられるとともに、
前記取付部の上端部に、前記係止受部に係止して前記軒樋支持具を吊下可能とする係止部が形成されていることを特徴とする軒樋支持具の取付構造。
【請求項２】
請求項１に記載の軒樋支持具の取付構造において、
前記鼻隠し板の外面には、水平方向の基準線が設けられ、
前記軒樋支持具の取付部には、前記基準線を基準として軒樋支持具の上下位置を決定する目盛が付されていることを特徴とする軒樋支持具の取付構造。
【発明の詳細な説明】
【技術分野】
【０００１】
本発明は、家屋の軒先に軒樋を設置するための軒樋支持具の取付構造に関する。
【背景技術】
【０００２】
家屋の軒先に軒樋を設置するには、通常、軒樋を建物側に支持、固定するための軒樋支持具を建物の鼻隠し板に固定し、この軒樋支持具に軒樋を吊下して行われる。
【０００３】
従来より、軒樋支持具の建物の鼻隠し板への取付構造としては、軒樋支持具を螺子により鼻隠し板に固定する螺子固定型が広く採用されている。また、螺子固定型以外の取付構造としては、上下部に凹所を有する支持レールを鼻隠し板に固定し、軒樋支持具の取付部の上下端部を前記凹所に係止させる支持レール係止型が提案されている。
【０００４】
前者の螺子固定型の取付構造は、鼻隠し板の板面に、貫通孔を有した軒樋支持具の取付部を配置し、螺子等の固着具を取付部の貫通孔に挿通して鼻隠し板に螺入し固定したものである。この取付構造の施工にあたっては、水勾配を取るために水糸を張って鼻隠し板の板面に基準線を取り、水上から水下に向かって軒樋支持具が漸次下位に配置されるよう印を付け、複数の軒樋支持具を一つずつ鼻隠し板に固定していく。
【０００５】
後者の支持レール係止型の取付構造は、支持レールの凹所に、軒樋支持具の取付部の上下端部を係止させることにより固定したものであり、固着具を用いずに軒樋支持具を鼻隠し板に固定することで軒樋支持具の取り付けの簡易化を図ったものである。従来のこの種の軒樋支持具の取付構造としては、例えば下記特許文献１に開示されたものが知られている。
【０００６】
図４は、特許文献１に示す軒樋支持具の取付構造を示したものである。
この図に示す支持レール係止型の取付構造は、不図示の鼻隠し板に沿って支持レール１を設置し、該支持レール１に軒樋支持具２を取り付ける構造である。
【０００７】
支持レール１は、長尺の平板の上下端にＬ字及び逆Ｌ字状の凸条３、３が形成され断面Ｃ字状に形成された部材であり、鼻隠し板（不図示）に取り付けられている。
【０００８】
一方、軒樋支持具２は、支持レール１に取り付けられる取付部４と、該取付部４に突設されて不図示の軒樋を保持する樋支持部５とを有している。
【０００９】
取付部４は、略長方形の板状に形成され、該取付部４の樋支持部５が突設された板面Ｂを正面視した場合の縦寸法Ｌ１は、支持レール１の凸条３、３を形成する底壁部６、６の間の寸法と略同一の寸法とされ、取付部４の横寸法Ｌ２は、支持レール１の開口部７に挿通可能なように、凸条３、３の先端の間の寸法よりも小寸法とされている。また、取付部４の一対の対角位置には、面取部８、８が形成されている。
【００１０】
この支持レール１に軒樋支持具２を取り付けるには、取付部４を図４に示した状態から左に９０度回転させて横向きにし、支持レール１の開口部７に挿通して鼻隠し板２に当接させる。そして、軒樋支持具２の取付部４を右方向に９０度回転させて取付部４の上下端部を支持レール１の凸条３、３により形成された凹所９、９に係止させる。
【先行技術文献】
【特許文献】
【００１１】
【特許文献１】特開２０００−１９２６２１号公報
【発明の概要】
【発明が解決しようとする課題】
【００１２】
しかしながら、前述した螺子固定型の取付構造については、一つの軒樋支持具を完全に固定してから他の軒樋支持具を順次鼻隠し板に固定していくため、施工時に未施工の大量の軒樋支持具が足元付近に置かれた状態となってこの未施工の軒樋支持具が作業の邪魔になり、軒樋支持具の施工作業をスムーズに行いにくいという問題があった。
【００１３】
一方、図４に示す支持レール係止型の取付構造については、鼻隠し板に取り付ける支持レール１を別途作製する必要があり、軒樋支持具の取付構造全体がコスト高になるという問題があった。
【００１４】
また、鼻隠し板に支持レール１を取り付けた上で該支持レール１に軒樋支持具２を取り付ける構成とされているため、軒樋支持具２及びこれに取り付けられる軒樋が支持レール１の厚み分軒先の外方へ突出し、そのままでは軒樋の雨水を受ける納まり位置が適切な位置からずれてしまうため、雨垂れが生じたり雨水が軒先の裏面に回って軒先を劣化させたりするという問題があった。また、軒樋を適切な位置に設置させるには、軒樋支持具２又は軒先の突出寸法の設計変更が必要となり、既定の軒先の設計又は既設の屋根に適用し難いため、汎用性が低いという問題があった。
【００１５】
また、軒樋支持具２の取付部４を支持レール１に係止させることにより固定するものであるため、軒樋支持具２の上下位置が固定してしまって水勾配を取ることが困難であり、雨天時に雨水が軒樋に溜まりやすくなるという問題があった。
【課題を解決するための手段】
【００１６】
そこで、本発明は、上記課題を解決するために以下の手段を提供している。
請求項１の発明は、建物の鼻隠し板に取り付けられる取付部と、該取付部に設けられた樋支持部とを備えた軒樋支持具を、前記鼻隠し板に取り付ける軒樋支持具の取付構造において、前記前記鼻隠し板の上方には、前記取付部を配置したときに該取付部の上端部を覆う上壁部が備えられ、該上壁部に係止受部が設けられるとともに、前記取付部の上端部に、前記係止受部に係止して前記軒樋支持具を吊下可能とする係止部が形成されていることを特徴とする。
【００１７】
請求項２の発明は、前記鼻隠し板の外面には、水平方向の基準線が設けられ、前記軒樋支持具の取付部には、前記基準線を基準として軒樋支持具の上下位置を決定する目盛が付されていることを特徴とする。
【発明の効果】
【００１８】
本発明の係る軒樋支持具の取付構造によれば、上記した解決手段によって下記の効果を奏する。
すなわち、請求項１に係る軒樋支持具の取付構造によれば、軒樋支持具の係止部を鼻隠し板の係止受部に係止させて軒樋支持具を仮留めすることができるため、設置すべき軒樋支持具を全て鼻隠し板に仮留めしてしまうことにより、施工中に未施工の軒樋支持具が足元付近に置かれるという状況を回避することができ、足元の軒樋支持具により作業が邪魔されることを防止して、軒樋支持具の施工作業を円滑に行い得るという効果を奏する。
また、鼻隠し板の上壁部に形成された係止受部に軒樋支持具の係止部を係止するシンプルな構成であるので、高所での作業にもかかわらず仮留めの作業が容易となるという効果を奏する。
【００１９】
また、設置すべき全ての軒樋支持具をまとめて鼻隠し板に仮留めしてしまうことにより、軒樋支持具の配置作業に集中して全ての配置位置を確認しやすくなるため、一定間隔に配置される位置及び集水器周辺等のイレギュラーな取り付け箇所への取り付け忘れを防止することができるという効果を奏する。
【００２０】
また、鼻隠し板の上壁部に係止受部を形成した構成であるため、鼻隠し板に設置する支持レール等を別途作製する必要がなく、軒樋支持具の取付構造全体のコストを抑えることができるという効果を奏する。
【００２１】
また、係止受部が上壁部に形成され、軒樋支持具の取付位置に変更が生じないため、軒樋の設置位置に変更を来たすことがなく、既定の軒先の設計又は既設の屋根の軒先になじみやすく、汎用性が高いという効果が得られる。
【００２２】
また、請求項２に係る軒樋支持具の取付構造によれば、鼻隠し板に水平方向を示す基準線が設けられ、軒樋支持具に目盛が設けられているため、水勾配を設けるための軒樋支持具を配置すべき上下位置を容易に測ることが可能となり、更に作業効率を向上させることができるという効果を奏する。
【図面の簡単な説明】
【００２３】
【図１】は、本発明の実施形態として示した軒樋支持具の取付構造を示した斜視図である。
【図２】は、本発明の実施形態として示した軒樋支持具の取付構造の一部を断面視した側面図である。
【図３】は、本発明の実施形態として示した軒樋支持具の取付構造の軒樋支持具を示す斜視図である。
【図４】は、従来の軒樋支持具の取付構造を分解して示した斜視図である。
【発明を実施するための形態】
【００２４】
以下、図を参照して本発明の実施形態について説明する。
図１は、本発明の実施形態として示した軒樋支持具の取付構造２０を示している。
この図に示すように、軒樋支持具の取付構造２０は、上壁部２１及び基準線２２が設けられた鼻隠し板２３に、係止部２４及び目盛２５が形成された軒樋支持具２６が固定された構造である。
【００２５】
鼻隠し板２３は、長尺の平板部２７の上方に上壁部２１を備えたものである。
【００２６】
平板部２７は、軒先の垂木（不図示）の先端の木口を隠す化粧板部であり、軒樋支持具２６が取り付けられる平板部２７の外面２７ａの下部には軒樋の水勾配を測るための基準となる浅いＶ字溝よりなる基準線２２が水平方向に形成されている。また、平板部２７の下端部には、軒先突出方向に突出する突条部２８が形成されている。
【００２７】
上壁部２１は、平板部２７の上部に形成されたものであり、図２に示すように平板部２７の上端から軒先（不図示）に沿って斜め下方へ延出した傾斜壁２９と、傾斜壁２９の先端から僅かに平板部２７側に入った位置から下方に延出する垂下壁３０とにより形成されたものである。
【００２８】
この垂下壁３０の先端の内側面には、平板部２７の外面２７ａに向かって突出する係止受部３１が鼻隠し板２３の延在する方向（図の奥行き方向）に連続して形成されている。
【００２９】
この上壁部２１と平板部２７とは、下方に向かって開口する凹所３２を形成している。
凹所３２は、軒樋支持具２６の上端部に形成された係止部２４の全体を挿入可能な高さ及び奥行き寸法となるように形成されており、後述するように係止部２４を係止受部３１に係止させてこの軒樋支持具２６を吊下した状態から係止部２４を凹所３２内の上方へ所定寸法移動することができるように形成されている。
【００３０】
この鼻隠し板２３の材質としては、セメント系材料、合成樹脂材料、木材、鋼板等が用いられる。
【００３１】
軒樋支持具２６は、鼻隠し板２３の平板部２７に取り付けられる取付部４０と、該取付部４０から軒先の突出方向に向かって延出した樋支持部４１とを備えたものであり、樋支持部４１の下方に軒樋４２を保持するものである。
【００３２】
取付部４０は、図３に示すように略Ｔ字状に形成され、上板部４０ａが左右方向に延在し、該上板部４０ａの左右方向中央部から下方に下板部４０ｂが延在している。
【００３３】
この取付部４０の上端部には、上板部４０ａの上端面４３から図２に示す係止受部３１に係止させる係止部２４、２４が形成され、下板部４０ｂの側面には、上下方向に一定間隔で印が付された目盛２５が形成されている。
【００３４】
また、取付部４０の左右方向及び下方に延出した壁部の端部近傍には、図１に示す固着具を構成する螺子５０を挿通させる貫通孔４８、４８・・が形成されている。  
【００３５】
係止部２４は、上端面４３から垂直に立ち上がった扁平な板部４４と、該板部４４の先端に前方に向かって突出した爪部４５とを備えたものである。係止部２４、２４は、その板部４４の板面が左右方向を向くように設けられており、上端面４３の左右方向に一定の間隔を隔てて２箇所に形成されている。
【００３６】
この場合、係止部２４は、図２に示すようにその板面が略直角三角形の形状をしており、垂下壁３０側に位置する垂直面４６が上端面４３と垂直な面をなして立ち上がり、該垂直面４６の上端に垂下壁３０方向に突出する爪部４５が形成され、平板部２７側に位置する面が傾斜面４７とされている。
【００３７】
ここで、係止部２４の垂直面４６は、係止部２４が凹所３２内に挿入された状態において、係止受部３１の突出端に当接する位置に形成される一方、傾斜面４７の下端は取付部４０の後端面の上端に至るように形成され、係止部２４の板面の下端縁の幅寸法Ｐは、係止受部３１の突出端と平板部２７の外面２７ａとの間の寸法に略一致するように形成されている。また、爪部４５の突出寸法は、係止受部３１の平板部２７側への突出寸法と略一致するように形成されている。
【００３８】
また、取付部４０の下板部４０ｂの前面には、軒樋４２の耳部４２ａを支持する掛止片４９ａが形成されている。
【００３９】
樋支持部４１は、取付部４０の左右方向中央部から軒先の突出方向に向かって延出したアーム部４９の先端側に、軒樋４２の耳部４２ｂを支持する掛止片４９ｂを備えている。
【００４０】
この樋支持部４１は、ポリカーボネート樹脂等の合成樹脂により形成されている。
【００４１】
次に、上記の軒樋支持具の取付構造２０の施工方法について説明する。
まず、図１に示す鼻隠し板２３は、基準線２２が水平方向を示すように建物の一部として固定される。
この鼻隠し板２３に対し軒樋支持具２６を取り付けるには、図２に示すように、鼻隠し板２３の平板部２７に対し軒樋支持具２６の取付部４０をその下端部を前方に引いて斜めに傾け、係止部２４を鼻隠し板２３の凹所３２に挿入するとともに、取付部４０を垂直方向に位置させてこれを平板部２７の外面２７ａに当接させる。
【００４２】
この場合、軒樋支持具２６の係止部２４は、平板部２７の外面２７ａ側に位置する面が傾斜面４７とされているため、この係止部２４を容易に凹所３２内に挿入することができる。
このように取付部４０を平板部２７の外面２７ａに当接させると、係止部２４の垂直面４６が係止受部３１の突出端に当接する一方、爪部４５の突出端が垂下壁３０の内側面に当接する。
【００４３】
この状態で、軒樋支持具２６の取付部４０を平板部２７の外面２７ａに沿って下方に移動させると、爪部４５が係止受部３１の上面に当接して係止し、軒樋支持具２６が鼻隠し板２３に仮留めされる。
【００４４】
ここで、軒樋支持具２６は、取付部４０に対して樋支持部４１が前方へ延出した構成であるため、係止受部３１と爪部４５との係止位置を支点として、樋支持部４１の重量によって軒樋支持具２６全体が鼻隠し板２３側へ回動する方向（図２において矢印Ａ方向）に力が働き、取付部４０が平板部２７の外面２７ａへ当接する状態が維持され、軒樋支持具２６が吊下された状態で安定して仮留めされることになる。
【００４５】
また、この際、係止部２４の板面の下端縁の幅寸法Ｐは、係止受部３１の突出端と平板部２７の外面２７ａとの間の寸法と略一致する寸法としたので、係止受部３１の突出端と垂直面４６とが当接し、平板部２７の外面２７ａと取付部４０の後面とが当接することになり、この仮留めがより確実なものとなる。
【００４６】
この要領で、鼻隠し板２３の延在する方向に、例えば６００ｍｍ又は９００ｍｍのピッチで定められた軒樋を支持する位置及び集水器（不図示）等の周辺で特に補強が望まれる位置に軒樋支持具２６を仮留めしていく。
【００４７】
鼻隠し板２３の延在する方向において、一定の長さ領域における複数の軒樋支持具２６の仮留め作業が終了した時点で、前記領域の一方の端部側に仮留めした軒樋支持具２６を水勾配の水下位置として設定し、この軒樋支持具２６を螺子５０により鼻隠し板２３に固定する。
【００４８】
この固定に際しては、取付部４０の貫通孔４８に図１に示す螺子５０を挿通し、この螺子５０によって取付部４０を鼻隠し板２３の平板部２７に固定する。また、他方の端部側に仮留めした軒樋支持具２６を係止受部３１に対する係止部２４の係止を解いて、取付部４０全体を上方へ移動させ、水勾配の水上位置に設置する。
【００４９】
この場合、軒樋支持具２６により支持される軒樋４２の水上から水下に向かう勾配は、例えば１／１０００ｍｍとなるように設定される。そして、この水上位置側の軒樋支持具２６についても水下位置側の前記軒樋支持具２６と同様に鼻隠し板２３に固定する。
【００５０】
次に、上述した鼻隠し板２３の一方の端部側と他方の端部側との間に位置する複数の軒樋支持具２６をそれぞれの位置に応じて上記水勾配が得られるように位置決めする。
【００５１】
この位置決めに際しては、予め鼻隠し板２３の基準線２２に対する軒樋支持具２６の目盛２５の位置を計算した表を作成しておき、この表に基づいて各軒樋支持具２６の上下位置を基準線２２と目盛２５とにより決定し、上述した要領で軒樋支持具２６を鼻隠し板２３に螺子により固定する。
かくして、すべての軒樋支持具２６の固定により軒樋支持具の取付構造２０が完成する。
【００５２】
上記の軒樋支持具の取付構造２０によれば、軒樋支持具２６を鼻隠し板２３に取り付ける施工作業において、軒樋支持具２６の係止部２４を、鼻隠し板２３の平板部２７に対して取付部４０がやや角度を持つように傾けて凹所３２に挿入し、係止部２４を挿入した状態で取付部４０を鼻隠し板２３に当接させ、軒樋支持具２６をやや下方に引くという簡易な操作で、係止部２４の爪部４５を係止受部３１に係止させ、軒樋支持具２６を鼻隠し板２３に容易に仮留めすることができる。
【００５３】
したがって、軒樋４２が設置される高所においても、設置すべき軒樋支持具２６を鼻隠し板２３に容易にかつ手際良く仮留めすることができ、全ての軒樋支持具２６を一旦鼻隠し板２３に仮留めしてしまうことにより、施工中に未施工の軒樋支持具２６が足元付近に置かれるという状況を回避することができ、足元の軒樋支持具２６により作業を邪魔されたり、軒樋支持具２６を落下させてしまったりすることを回避して、軒樋支持具２６の施工作業を円滑に行い得るという効果が得られる。
【００５４】
また、設置すべき全ての軒樋支持具２６をまとめて鼻隠し板２３に仮留めしてしまうことにより、軒樋支持具２６の配置作業に集中して全ての配置位置を確認しやすくなるため、一定間隔に配置される位置及び集水器周辺等のイレギュラーな取り付け箇所への取り付け忘れを防止することができるという効果が得られる。
【００５５】
また、鼻隠し板２３の上壁部２１及び基準線２２の構成がシンプルであるため、仮留めのための上壁部２１を有した鼻隠し板２３の作製が容易で、かつ、支持レール係止型の取付構造のように支持レール等の部材を別途作製する必要がないため、軒樋支持具の取付構造２０の鼻隠し板２３を低コストかつ短時間で作製することが可能となるという効果が得られる。また、軒樋支持具２６についても、仮留めのための係止部２４と目盛２５の構成がシンプルあるため、該軒樋支持具２６の作製時間及びコストを低減することができるという効果が得られる。
【００５６】
また更に、軒樋支持具２６の係止部２４は、取付部４０において鼻隠し板２３側に突出する部分を有していないため、平板からなる既存の鼻隠し板にも使用することができるという効果が得られる。
【００５７】
また、係止受部３１が上壁部２１の垂下壁３０に形成されており、軒樋支持具２６の取付部４０を当接させる平板部２７に凹凸を生じさせないため、軒樋支持具２６の取付位置に変更が生じることがなく、鼻隠し板２３の構成が既定の軒先の設計又は既設の屋根の軒先になじみやすく、汎用性が高いという効果が得られる。
【００５８】
また、鼻隠し板２３に水平方向を示す基準線２２が設けられ、軒樋支持具２６の下板部４０ｂの側面に目盛２５が設けられているため、水勾配を設けるための軒樋支持具２６を配置すべき上下位置を容易に測ることが可能となり、更に作業効率を向上させることができるという効果が得られる。
【００５９】
また更に、軒樋支持具２６の鼻隠し板２３への仮留めにおいて、軒樋支持具２６の係止部２４を凹所３２に挿入した後に取付部４０を平板部２７の外面２７ａに沿って下方に移動させる際、係止受部３１の突出端が垂直面４６に当接し、爪部４５の突出端も垂下壁３０の内側面に当接しながら移動して係止するため、軒樋支持具２６がぐらつきにくく、安定して吊下作業を行うことができるという効果が得られる。
【００６０】
上記の実施形態において、基準線２２を鼻隠し板２３に形成された浅いＶ字状の溝とし、一方、目盛２５を取付部４０の側面に形成したが、これに限定されるものではなく、鼻隠し板２３に形成される基準線２２を極低い突出寸法で形成された突条とし、一方、図２に二点差線で示すように取付部４０の目盛２５が付された部分の後面に前記突条との接触を回避する凹部５１を形成するようにしてもよい。
【００６１】
このような構成とすることで、鼻隠し板２３の平板部２７の外面２７ａに溝加工等をすることなく、塗料等を用いて基準線２２を容易に形成することができるという効果が得られる。
【符号の説明】
【００６２】
２０    軒樋支持具の取付構造
２１    上壁部
２２    基準線
２３    鼻隠し板
２４    係止部
２５    目盛
２６    軒樋支持具
２７    平板部
２７ａ  外面
３１    係止受部
４０    取付部
４１    樋支持部
５０    固着具
【図１】
2012007413.tif 000003
【図２】
2012007413.tif 000004
【図３】
2012007413.tif 000005
【図４】
2012007413.tif 000006